(57)【要約】【課題】自動検品のスキャン結果をユーザが確認する際に、実際の検査領域をユーザが確認する。【解決手段】画像検査装置は、画像が形成された用紙を読み取る光学センサ１４１，１４２と、光学センサ１４１，１４２が読み取った画像から印刷結果が正常であるか否かを判定する異常検出部１０６と、異常検出部１０６が検査対象とする領域の情報を記憶する記憶部１８と、光学センサ１４１，１４２が読み取った画像のうち異常検出部１０６が検査対象とした領域を表示操作部１１に報知する表示処理部１０５とを備える。【選択図】図１
2020178228.tif 000002
【特許請求の範囲】
【請求項１】
画像が形成された用紙を読み取る読取手段と、
前記読取手段が読み取った画像から印刷結果が正常であるか否かを検査する異常検出手段と、
前記異常検出手段が検査対象とする領域の情報を記憶する記憶手段と、
前記読取手段が読み取った画像のうち前記異常検出手段が検査対象とした領域を報知する報知手段と、
を備えることを特徴とする画像検査装置。
【請求項２】
前記読取手段で読み取ったオリジナルの画像に、検査対象となった領域または検査非対象となった領域を示す図形を合成する画像処理手段、
を更に備えることを特徴とする請求項１に記載の画像検査装置。
【請求項３】
前記画像処理手段は、前記読取手段で読み取った画像と同一のレイヤに、検査対象となった領域または検査非対象となった領域を示す図形を描き込んで合成するとともに、前記合成した画像と前記読取手段で読み取ったオリジナルの画像とを紐付けて管理する、
ことを特徴とする請求項２に記載の画像検査装置。
【請求項４】
前記画像処理手段は、前記読取手段で読み取った画像に、検査対象となった領域を示す図形を合成する際に、当該画像とは異なるレイヤに当該図形を登録する、
ことを特徴とする請求項２に記載の画像検査装置。
【請求項５】
前記報知手段は、前記読取手段で読み取ったオリジナルの画像と、検査対象となった領域または検査非対称となった領域を示す図形を当該オリジナルの画像に合成した画像とを切り替えて表示する、
ことを特徴とする請求項３に記載の画像検査装置。
【請求項６】
前記報知手段は、前記読取手段で読み取った画像に対して、検査対象となった領域または検査非対称となった領域を塗りつぶして表示する、
ことを特徴とする請求項２に記載の画像検査装置。
【請求項７】
前記報知手段は、前記読取手段で読み取った画像に対して、検査対象となった領域と検査非対称となった領域との境界線を表示する、
ことを特徴とする請求項２に記載の画像検査装置。
【請求項８】
前記報知手段は、検査対象外の領域の検査対象外となった要因または／および条件に応じて、当該領域の報知方法を切り替える、
ことを特徴とする請求項２に記載の画像検査装置。
【請求項９】
前記異常検出手段が検査の対象とする検査対象領域を示す画像を作成する画像作成手段を更に備える、
ことを特徴とする請求項１に記載の画像検査装置。
【請求項１０】
前記読取手段で読み取った画像のうち、検査非対象領域をトリミングした画像を生成するトリミング手段、
を更に備えることを特徴とする請求項１に記載の画像検査装置。
【請求項１１】
前記読取手段で読み取った画像とともに、検査対象または検査非対象となった領域に関する情報を保存する保存手段、
を更に備えることを特徴とする請求項１に記載の画像検査装置。
【請求項１２】
前記保存手段は、前記読取手段で読み取った画像上に、検査対象または検査非対象となった領域に関する情報を文字で合成して保存する、
ことを特徴とする請求項１１に記載の画像検査装置。
【請求項１３】
前記保存手段は、前記読取手段で読み取った画像を保存すると共に、検査対象となった領域または検査非対象となった領域に関する情報を前記画像に紐付けて保存する、
ことを特徴とする請求項１１に記載の画像検査装置。
【請求項１４】
前記異常検出手段が検査対象または検査非対象とする領域を修正する修正手段、
を更に備えることを特徴とする請求項１の画像検査装置。
【請求項１５】
前記異常検出手段が検査非対象とする領域には、当該画像を印刷した記録媒体が断裁される領域が含まれる、
ことを特徴とする請求項１から１４のうち何れか１つに記載の画像検査装置。
【請求項１６】
前記異常検出手段が検査非対象とする領域には、記録媒体ごとに印刷内容が異なる領域が含まれる、
ことを特徴とする請求項１から１４のうち何れか１つに記載の画像検査装置。
【請求項１７】
読取手段は、画像が形成された用紙を読み取り、
異常検出手段は、前記読取手段が読み取った画像から印刷結果が正常であるか否かを判定し、
前記異常検出手段が検査対象とする領域の情報を記憶手段に記憶し、
前記読取手段が読み取った画像のうち前記異常検出手段が検査対象とした領域を報知手段によって報知する、
ことを特徴とする画像検査方法。
【請求項１８】
コンピュータに
画像が形成された用紙を読取手段によって読み取らせる工程、
前記読取手段が読み取った画像から印刷結果が正常であるか否かを判定する工程、
検査対象とする領域の情報を記憶手段に記憶する工程、
前記読取手段が読み取った画像のうち、検査対象とした前記領域を報知手段によって報知する工程、
を実施させるための画像検査プログラム。
【発明の詳細な説明】
【技術分野】
【０００１】
本発明は、画像検査装置、画像検査方法、および画像検査プログラムに関する。
【背景技術】
【０００２】
印刷における自動検品機能とは、あらかじめ紐付けられた正解画像と検査対象となる出力物の読み取り結果とを比較し、汚れ・角折れ・しわ・用紙傾き等の不良印刷物を特定し、自動的にヤレ紙（無駄になってしまった紙）として別トレイに排紙する機能である。このとき、正解画像は、原稿データもしくは正解画像作成用に出力されたジョブの読み取り結果から生成される。
【０００３】
画像検査時に、常に画像全面に対して検査を実施すると、検査対象領域には異常がないにも関わらず、検査対象外の領域の異常によって不良印刷物として特定される問題がある。そのため、一般的には検査対象領域を指定し、対象外の領域での異常画像は検査しないような制御がなされている。
【０００４】
また、特許文献１に示されているように、読み取った検査対象画像をＰＤＦ等の画像ファイルとして保存し、ユーザが参照する事で、検査結果をユーザが直接確認できる構成も知られている。
特許文献１によると、異常検知の結果と実際に読み取った検査対象画像をユーザが確認し、誤検知、検知漏れをユーザが確認・入力する事で自動検品時の異常検出条件にフィードバックを行う事が可能となっている。
【先行技術文献】
【特許文献】
【０００５】
【特許文献１】特開２０１７−１９１９７９号公報
【発明の概要】
【発明が解決しようとする課題】
【０００６】
しかし、ユーザが検査対象画像を確認する際に、装置が検査対象とした領域を確認する事が出来ない課題により以下の（ａ）〜（ｅ）に示した問題が存在している。
（ａ）  印刷物に対して検品が実施されたとき、その検査対象領域がユーザの意図した領域になっているか確認できない。
（ｂ）  本来、印刷物を検査しなければいけない領域が検査の対象外になっていると、異常画像が残った状態で最終成果物が出荷される可能性がある。
（ｃ）  またユーザが目視で検出した画像不良が装置によって検知されていない場合に、画像の検査対象領域から外れた為に検知されていないのか、異常画像と判断される条件（閾値）を満たさない為に検知されていないのか判断できない。
【０００７】
（ｄ）  印刷画像の検査対象領域を修正しなければならないのか、検査条件を修正しなければならないのか判断できない
（ｅ）  ユーザが読み取り結果を目視確認する際に、検査対象領域を厳密に認識できない為、断裁領域の境界付近にある画像不良が最終出力物に影響するかの判断をするのが難しい。よって、画像端面からの距離を測って断裁量と比較する必要がある。
【０００８】
そこで、本発明は、自動検品のスキャン結果をユーザが確認する際に、実際の検査領域を確認可能とすることを課題とする。
【課題を解決するための手段】
【０００９】
すなわち、本発明の上記課題は、下記の構成により解決される。
【００１０】
（１）  用紙上に形成された画像を読み取る読取手段と、
前記読取手段が読み取った画像から印刷結果が正常であるか否かを検査する異常検出手段と、
前記異常検出手段が検査対象とする領域の情報を記憶する記憶手段と、
前記読取手段が読み取った画像のうち前記異常検出手段が検査対象とした領域を報知する報知手段と、
を備えることを特徴とする画像検査装置。
【００１１】
（２）  前記読取手段で読み取ったオリジナルの画像に、検査対象となった領域または検査非対象となった領域を示す図形を合成する画像処理手段、
を更に備えることを特徴とする（１）に記載の画像検査装置。
【００１２】
（３）  前記画像処理手段は、前記読取手段で読み取った画像と同一のレイヤに、検査対象となった領域または検査非対象となった領域を示す図形を描き込んで合成するとともに、前記合成した画像と前記読取手段で読み取ったオリジナルの画像とを紐付けて管理する、
ことを特徴とする（２）に記載の画像検査装置。
【００１３】
（４）  前記画像処理手段は、前記読取手段で読み取った画像に、検査対象となった領域を示す図形を合成する際に、当該画像とは異なるレイヤに当該図形を登録する、
ことを特徴とする（２）に記載の画像検査装置。
【００１４】
（５）  前記報知手段は、前記読取手段で読み取ったオリジナルの画像と、検査対象となった領域または検査非対称となった領域を示す図形を、当該オリジナルの画像に合成した画像とを切り替えて表示する、
ことを特徴とする（３）に記載の画像検査装置。
【００１５】
（６）  前記報知手段は、前記読取手段で読み取った画像に対して、検査対象となった領域または検査非対称となった領域を塗りつぶして表示する、
ことを特徴とする（２）に記載の画像検査装置。
【００１６】
（７）  前記報知手段は、前記読取手段で読み取った画像に対して、検査対象となった領域と検査非対称となった領域との境界線を表示する、
ことを特徴とする（２）に記載の画像検査装置。
【００１７】
（８）  前記報知手段は、検査対象外の領域の検査対象外となった要因または／および条件に応じて、当該領域の報知方法を切り替える、
ことを特徴とする（２）に記載の画像検査装置。
【００１８】
（９）  前記異常検出手段が検査の対象とする検査対象領域を示す画像を作成する画像作成手段を更に備える、
ことを特徴とする（１）に記載の画像検査装置。
【００１９】
（１０）  前記読取手段で読み取った画像のうち、検査非対象領域をトリミングした画像を生成するトリミング手段、
を更に備えることを特徴とする（１）に記載の画像検査装置。
【００２０】
（１１）  前記読取手段で読み取った画像とともに、検査対象または検査非対象となった領域に関する情報を保存する保存手段、
を更に備えることを特徴とする（１）に記載の画像検査装置。
【００２１】
（１２）  前記保存手段は、前記読取手段で読み取った画像上に、検査対象または検査非対象となった領域に関する情報を文字で合成して保存する、
ことを特徴とする（１１）に記載の画像検査装置。
【００２２】
（１３）  前記保存手段は、前記読取手段で読み取った画像を保存すると共に、検査対象となった領域または検査非対象となった領域に関する情報を前記画像に紐付けて保存する、
ことを特徴とする（１１）に記載の画像検査装置。
【００２３】
（１４）  前記異常検出手段が検査対象または検査非対象とする領域を修正する修正手段、
を更に備えることを特徴とする（１）の画像検査装置。
【００２４】
（１５）  前記異常検出手段が検査非対象とする領域には、当該画像を印刷した記録媒体が断裁される領域が含まれる、
ことを特徴とする（１）から（１４）のうち何れか１つに記載の画像検査装置。
【００２５】
（１６）  前記異常検出手段が検査非対象とする領域には、記録媒体ごとに印刷内容が異なる領域が含まれる、
ことを特徴とする（１）から（１４）のうち何れか１つに記載の画像検査装置。
【００２６】
（１７）  読取手段は、用紙上に形成された画像を読み取り、
異常検出手段は、前記読取手段が読み取った画像から印刷結果が正常であるか否かを判定し、
前記異常検出手段が検査対象とする領域の情報を記憶手段に記憶し、
前記読取手段が読み取った画像のうち前記異常検出手段が検査対象とした領域を報知手段によって報知する、
ことを特徴とする画像検査方法。
【００２７】
（１８）  コンピュータに
画像が形成された用紙を読取手段によって読み取らせる工程、
前記読取手段が読み取った画像から印刷結果が正常であるか否かを判定する工程、
検査対象とする領域の情報を記憶手段に記憶する工程、
前記読取手段が読み取った画像のうち、検査対象とした前記領域を報知手段によって報知する工程、
を実施させるための画像検査プログラム。
【発明の効果】
【００２８】
本発明によれば、自動検品のスキャン結果をユーザが確認する際に、実際の検査領域を確認することが可能となる。
【図面の簡単な説明】
【００２９】
【図１】本実施形態の画像形成システムの概略を示す構成図である。
【図２】画像形成システムのブロック図である。
【図３】制御部のブロック図である。
【図４】記録媒体をスキャンした画像に重畳して、検査非対象領域を示す図形を表示するか否かを切り替える処理を示すフローチャートである。
【図５】印刷された記録媒体をスキャンした画像の一例である。
【図６】検査非対象領域のレイヤを示す図である。
【図７】記録媒体をスキャンした画像と検査非対象領域とを合成した画像を示す図である。
【図８】印刷された記録媒体をスキャンした画像の別レイヤとして検査非対象領域を登録したファイルの構成を示す図である。
【図９】記録媒体をスキャンした画像に重畳して、検査対象領域を示す図形を表示するか否かを切り替える処理を示すフローチャートである。
【図１０】印刷された記録媒体をスキャンした画像の一例である。
【図１１】検査対象領域を示す図である。
【図１２】印刷された記録媒体をスキャンした画像の別レイヤとして検査対象領域を登録したファイルを示す図である。
【図１３】記録媒体をスキャンした画像に重畳して、検査対象領域と検査非対象領域の境界線を表示する処理を示すフローチャートである。
【図１４】記録媒体をスキャンした画像の別レイヤとして検査対象領域と検査非対象領域の境界線を登録したファイルを示す図である
【図１５】記録媒体をスキャンした画像に、検査対象領域と検査非対象領域の境界線を合成した画像を示す図である。
【図１６】記録媒体をスキャンした画像に重畳してバリアブル領域の境界線を表示し、更に断裁領域を塗りつぶし表示する処理を示すフローチャートである。
【図１７】検査対象領域の表示画面を示す図である。
【図１８】検査非対象領域の再設定画面を示す図である。
【図１９】印刷された記録媒体をスキャンした画像から検査非対象領域をトリミングする処理を示すフローチャートである。
【図２０】印刷された記録媒体をスキャンした画像を示す図である。
【図２１】印刷された記録媒体をスキャンした画像から検査非対象領域をトリミングしたファイルを示す図である。
【図２２】記録媒体をスキャンした画像と共に、検査非対象領域の座標情報を表示する処理を示すフローチャートである。
【図２３】検査非対象領域の座標情報の表示画面を示す図である。
【発明を実施するための形態】
【００３０】
以降、本発明を実施するための形態を、各図を参照して詳細に説明する。
図１は、本実施形態の画像形成システム１の概略を示す構成図である。図２は、画像形成システム１のブロック図である。
【００３１】
図１に示すとおり、画像形成システム１は、表示操作部１１、給紙ユニット１２、画像形成装置１３、画像検査装置１４、断裁装置１５、およびパージ装置１６を備えている。給紙ユニット１２、画像形成装置１３、画像検査装置１４、断裁装置１５、およびパージ装置１６は、用紙搬送の上流側から下流側へ順に連結されている。
【００３２】
図２に示すとおり、画像形成システム１は、制御部１０、表示操作部１１、給紙ユニット１２、印刷部１３０、画像読取部１４０、断裁部１５０、パージ部１６０、記憶部１８、通信部１９を備えている。これらは、信号をやり取りするためのバスやインタフェースを介して相互に接続されている。
【００３３】
制御部１０は、ＣＰＵ（Central Processing Unit）１０１、ＲＯＭ（Read Only Memory）１０２、ＲＡＭ（Random Access Memory）１０３を備える。
ＣＰＵ１０１は、プログラムにしたがって上記各部の制御や各種の演算処理を行う。ＲＯＭ１０２は、不揮発性メモリであり、この画像形成システム１を構成する各装置を制御する各種プログラムや各種データが格納される。ＲＡＭ１０３は、揮発性メモリであり、ＣＰＵ１０１の作業領域として一時的にプログラムやデータを記憶する。
【００３４】
記憶部１８は、ハードディスク等の大容量記憶装置であり、各種プログラムや各種データを格納する。ＣＰＵ１０１、ＲＯＭ１０２、ＲＡＭ１０３は、記憶部１８に格納されたプログラムを実行することにより、各処理の工程を実行するコンピュータである。通信部１９は、他の装置と通信するためのインタフェースである。
【００３５】
表示操作部１１は、タッチパネル、テンキー、スタートボタン、およびストップボタン等を備える操作パネルであり、各種情報の表示および各種指示の入力に使用される。
【００３６】
《給紙ユニット》
給紙ユニット１２は、複数の大容量給紙段１２１〜１２３を備える。これら大容量給紙段１２１〜１２３は、画像形成に使用される用紙９を収容する。給紙ユニット１２は、これら大容量給紙段１２１〜１２３に収容された用紙９を、１枚ずつ画像形成装置１３に送り出す。
【００３７】
《画像形成装置》
画像形成装置１３は、図１に示す本体給紙段１３１，１３２と、搬送ローラ１３３と、転写ローラ１３４と、定着ローラ１３５と、反転経路１３６，１３７を備え、図２に示す印刷部１３０を構成する。本体給紙段１３１，１３２は、画像形成に使用される用紙９を収容する。搬送ローラ１３３は、本体給紙段１３１，１３２や給紙ユニット１２から搬送された用紙９を、１枚ずつ下流側に搬送する。
【００３８】
転写ローラ１３４は、搬送ローラ１３３の下流側に設置されており、ＣＭＹＫの各トナー像を用紙９に転写する。定着ローラ１３５は、用紙９を加熱・加圧することにより、用紙９に転写されたトナー像を、この用紙９に定着させる。
反転経路１３６，１３７は、定着ローラ１３５から排出された用紙９を反転して、再び搬送ローラ１３３に送り込む経路である。これにより画像形成装置１３は、用紙９の両面に印刷することができる。
【００３９】
印刷部１３０は、帯電、露光、現像、転写、および定着の各工程を含む電子写真式プロセス等の周知の作像プロセスを用いて、画像データに基づく画像を用紙９上に形成する。印刷部１３０により画像が形成された用紙９は、下流側に設置された画像検査装置１４に搬送される。
【００４０】
《画像検査装置》
画像検査装置１４は、光学センサ１４１，１４２とローラ１４３を備えている。これら光学センサ１４１，１４２は、図２に示す画像読取部１４０を構成する。
【００４１】
画像読取部１４０は、用紙９上に形成された画像を読み取って、読取画像データを得る。画像読取部１４０を構成する光学センサ１４１，１４２は、例えばＣＣＤ（Charge Coupled Device）イメージセンサ等の撮像装置である。光学センサ１４１は、用紙９の表面を撮像する。光学センサ１４２は、用紙９の裏面を撮像する。
【００４２】
画像読取部１４０は、用紙９上に蛍光ランプ等の光源で光を当て、その反射光を光学センサ１４１，１４２で光電変換して、その電気信号から読取画像データを生成する。画像読取部１４０により画像が読み取られた用紙９は、下流側に設置された断裁装置１５に順番に搬送される。
【００４３】
《断裁装置》
断裁装置１５は、断裁カッター１５１〜１５３と、屑入れ１５４とを備え、図２に示す断裁部１５０を構成する。
断裁部１５０は、画像形成装置１３により画像が形成された用紙９の断裁処理を行う。断裁部１５０は、用紙９を搬送方向に沿った方向に断裁するための断裁カッター１５１と、用紙９を搬送方向に直交する方向に断裁するための断裁カッター１５２，１５３とを備え、用紙９を２つの方向に断裁する。断裁部１５０は、ジョブの断裁処理情報に基づいて用紙９の断裁処理を行って用紙９の端部を切り取り、切れ端を屑入れ１５４に入れる。断裁部１５０により用紙９を断裁して得られた用紙は、下流側に設置されたパージ装置１６に順番に搬送される。
【００４４】
《パージ装置》
パージ装置１６は、装置本体の側面に設けられたメイン排紙トレイ１６１と、装置本体の上部に設けられたサブ排紙トレイ１６２とを備え、図２に示すパージ部１６０を形成する。
パージ部１６０は、断裁装置１５により断裁して得られた用紙を排出する。本実施形態のパージ部１６０は、装置本体の側面に設けられたメイン排紙トレイ１６１と、装置本体の上部に設けられたサブ排紙トレイ１６２とを有する。
【００４５】
搬送路切替部１６３は、断裁された用紙の搬送路をメイン排紙トレイ１６１に続く第１搬送路と、サブ排紙トレイ１６２に続く第２搬送路との間で切り替える。搬送路切替部１６３は、断裁される前の用紙９に異常が見つかっていなかったならば、断裁された用紙を第１搬送路に搬送してメイン排紙トレイ１６１に排出する。搬送路切替部１６３は、断裁される前の用紙９に異常が見つかっていたならば、断裁された用紙を第２搬送路に搬送してサブ排紙トレイ１６２に排出（パージ）する。
【００４６】
画像形成システム１の制御部１０は、パージ装置１６の不図示の制御部と連携して、異常のない用紙９をメイン排紙トレイ１６１に排出し、異常のある分割用紙をサブ排紙トレイ１６２に排出するパージ部１６０として機能する。また、画像形成システム１の制御部１０は、画像検査装置１４、断裁装置１５、およびパージ装置１６の不図示の制御部と連携して、画像形成システム１の動作を制御する動作制御部１０７（図３参照）として機能する。
【００４７】
さらに、画像形成システム１の制御部１０は、記憶部１８に記憶されたプログラムを実行することによって、図３に示す画像処理部１０４、表示処理部１０５、異常検出部１０６、動作制御部１０７、修正部１０８、トリミング部１０９として機能する。
ここで、画像処理部１０４は、画像読取部１４０が読み取った用紙９上の画像データを処理する。画像処理部１０４は、画像読取部１４０で読み取ったオリジナルの画像に、検査対象となった領域または検査非対象となった領域を示す図形を合成する。これによりユーザは、実際の検査領域を確認可能となる。
画像処理部１０４は、オリジナルの画像に検査対象となった領域または検査非対象となった領域を示す図形をレイヤとして登録してもよい。また画像処理部は、オリジナルの画像と、このオリジナルの画像に検査対象となった領域または検査非対象となった領域を示す図形を描いた画像とを紐づけて管理するようにしてもよい。
【００４８】
表示処理部１０５は、画像読取部１４０により得られた用紙９上の画像データを、表示操作部１１などに表示する。表示処理部１０５は更に、画像読取部１４０で読み取ったオリジナルの画像に重畳して検査対象となった領域または検査非対象となった領域を示す図形を機械的に所定周期で切り替え表示してもよい。これにより、表示処理部１０５は、画像読取部１４０により得られた用紙９上の画像データを報知する報知部として機能する。
【００４９】
異常検出部１０６は、画像読取部１４０により得られた用紙９上の画像データから異常を検出し、よって印刷結果が正常であるか否かを検出する。動作制御部１０７は、これら画像形成システム１の各装置と連携して一連の画像形成動作を制御する。修正部１０８は、表示処理部１０５と連携して、検査対象領域または検査非対象領域をユーザが修正可能とする。トリミング部１０９は、画像処理部１０４により読み取った画像から検査非対象領域をトリミングする。各部の具体的な処理内容については後述する。
【００５０】
画像形成システム１、断裁装置１５、画像検査装置１４、およびパージ装置１６は、それぞれ上記構成要素以外の構成要素を含んでいてもよく、あるいは、上記構成要素のうちの一部が含まれていなくてもよい。
【００５１】
以上のとおり構成される画像形成システム１では、印刷部１３０により画像が形成された用紙９が、画像検査装置１４により、複数枚の用紙９が順番に検査され、これら用紙９上の画像が検査される。以下、図４〜図２３を参照して、画像検査装置１４の動作について詳細に説明する。
【００５２】
《第１の実施形態》
図４は、記録媒体をスキャンした画像に重畳して、検査非対象領域を示す図形を表示するか否かを切り替える処理を示すフローチャートである。
最初、制御部１０は、印刷部１３０により検査対象ジョブを用紙９に出力し（Ｓ１０）、画像読取部１４０により用紙９上に出力された画像を読み取る（Ｓ１１）。
次に制御部１０は、この検査対象ジョブに検査非対象領域が設定されているか否かを判定する（Ｓ１２）。
【００５３】
制御部１０は、この検査対象ジョブに検査非対象領域が設定されていないならば（Ｎｏ）、異常検出部１０６により、画像全面に対して画像解析と検品を実施し（Ｓ１５）、読み取った画像を記憶部１８に保存する（Ｓ１６）。
【００５４】
制御部１０は、この検査対象ジョブに検査非対象領域が設定されているならば（Ｙｅｓ）、異常検出部１０６により検査対象領域に対して画像解析と検品を実施し（Ｓ１３）、画像処理部１０４により読み取った画像の別レイヤに検査非対象領域を示す図形を登録する（Ｓ１４）。更に制御部１０は、読み取った画像を記憶部１８に保存する（Ｓ１６）。
【００５５】
そして制御部１０は、表示処理部１０５により、保存した画像に検査非対象領域のレイヤが登録されているか否かを判定する（Ｓ１７）。制御部１０は、保存した画像に検査非対象領域のレイヤが登録されているならば（Ｙｅｓ）、記憶部１８に保存された画像に検査非対象領域のレイヤの表示と非表示を機械的に所定周期で切り替えながら表示し（Ｓ１８）、図４の処理を終了する。つまり、制御部１０は、印刷した用紙９を読み取った画像と、この画像に検査非対象領域を示す図形を重畳した画像とを所定周期で切り替えながら表示する。これによりユーザは、印刷した用紙９を読み取った画像を確認する際に、実際の検査領域を確認することが可能となる。
【００５６】
制御部１０は、保存した画像に検査非対象領域の図形がレイヤとして登録されていないならば（Ｎｏ）、表示処理部１０５により保存した画像を表示して（Ｓ１９）、図４の処理を終了する。
【００５７】
図５は、印刷された記録媒体をスキャンした画像２の一例である。
画像２は、テキスト領域２１と、写真領域２２と、宛て名などが記載されたバリアブル領域２３とを含んでいる。テキスト領域２１は、テキストが印刷された領域である。写真領域２２は、写真が印刷された領域である。バリアブル領域２３は、用紙９ごとに異なる内容が印刷される可変領域である。これに対してテキスト領域２１や写真領域２２は、用紙９が異なったとしても内容が変わらない不変領域であり、よって検査対象領域となる。
【００５８】
図６は、検査非対象領域のレイヤ３を示す図である。
ここでレイヤ３は、画像２に追加されたレイヤである。レイヤ３は、左端の断裁領域３１と、右端の断裁領域３２と、中央下部のバリアブル領域３３とを含んでいる。レイヤ３のうち、ハッチングで示された断裁領域３１，３２と、バリアブル領域３３とは、不透明である。それ以外のハッチングなしで示した領域は、透明である。
【００５９】
図７は、記録媒体をスキャンした画像２と検査非対象領域とを合成した画像２Ａを示す図である。
画像２Ａは、テキスト領域２１と、写真領域２２と、断裁領域３１，３２とバリアブル領域３３とを含んでいる。断裁領域３１，３２と、バリアブル領域３３は、検査の対象領域ではない。つまり、画像２Ａは、図５に示した画像２に検査非対象領域を合成したものである。
【００６０】
図８は、印刷された記録媒体をスキャンした画像の別レイヤとして検査非対象領域を登録したファイルの構成を示す図である。
印刷された記録媒体をスキャンした画像２の上層には、レイヤ３が配置されている。画像２の上層にレイヤ３を表示させることで、読み取った画像２に検査対象領域の図形を合成した画像２Ａ（図７参照）を表示することができる。また、このレイヤ３を非表示とすることにより、読み取った画像２（図５参照）自体を表示することができる。このように画像２Ａと画像２とを機械的に所定周期で切り替えて表示することにより、ユーザは読み取り画像のうち検査対象領域を視認可能となり、更に検査非対象領域も視認可能となる。
【００６１】
ユーザが読み取り画像のうち検査対象領域を視認可能とすることでで、検査非対象領域の不整合による異常画像の誤検知や見過ごしを防ぐことができる。更に、ユーザが検査対象画像の読み取り結果を確認する際に、当該ユーザが検査非対象領域を認識する事ができるので、チェックの利便性が向上する。
【００６２】
なお、読み取り画像と、検査対象領域を示す画像と、これら読み取り画像に検査対象領域の図形を合成した画像をそれぞれ紐付けて保存し、ユーザが用途により、それぞれの画像の参照・比較・合成を可能とする構成も考えられる。
【００６３】
《第２の実施形態》
実際の検査領域をユーザが確認するためには、記録媒体をスキャンした画像と検査非対象領域を示す画像を切り替え表示してもよい。
図９は、記録媒体をスキャンした画像に重畳して、検査対象領域を示す図形を表示するか否かを切り替える処理を示すフローチャートである。
最初、制御部１０は、印刷部１３０により検査対象ジョブを用紙９に出力し（Ｓ２０）、画像読取部１４０により用紙９上に出力された画像を読み取る（Ｓ２１）。
次に制御部１０は、この検査対象ジョブに検査非対象領域が設定されているか否かを判定する（Ｓ２２）。
【００６４】
制御部１０は、この検査対象ジョブに検査非対象領域が設定されていないならば（Ｎｏ）、異常検出部１０６により、画像全面に対して画像解析と検品を実施し（Ｓ２５）、ステップＳ２６の処理に進む。
【００６５】
制御部１０は、この検査対象ジョブに検査非対象領域が設定されているならば（Ｙｅｓ）、異常検出部１０６により画像処理部１０４により検査対象領域に対して画像解析と検品を実施し（Ｓ２３）、読み取った画像の別レイヤに検査対象領域を示す図形を登録し（Ｓ２４）、ステップＳ２６の処理に進む。
【００６６】
ステップＳ２６において、制御部１０は、画像を記憶部１８に保存する。そして制御部１０は、表示処理部１０５により、保存した画像に検査対象領域の図形がレイヤとして登録されているか否かを判定する（Ｓ２７）。制御部１０は、保存した画像に検査対象領域の図形が登録されているならば（Ｙｅｓ）、記憶部１８に保存された画像に、検査対象領域を示す図形（矩形）の表示と非表示を機械的に所定周期で切り替えながら表示し（Ｓ２８）、図９の処理を終了する。これにより、印刷した用紙９を読み取った画像と、その検査対象領域とを視認可能に表示することができる。
制御部１０は、保存した画像に検査対象領域の図形が登録されていないならば（Ｎｏ）、保存した画像を表示して（Ｓ２９）、図９の処理を終了する。
【００６７】
図１０は、印刷された記録媒体をスキャンした画像２の一例である。図１１は、検査対象領域を重畳して表示した画像２Ｃである。
画像２は、テキスト領域２１と、写真領域２２と、宛て名などが記載されたバリアブル領域２３とを含んでいる。これに対して画像２Ｃは、逆Ｕ字型の検査対象領域４１と、中央下部のバリアブル領域２３とが表示されている。
【００６８】
図１２は、印刷された記録媒体をスキャンした画像の別レイヤとして検査対象領域を登録したファイルを示す図である。
印刷された記録媒体をスキャンした画像２の上層には、レイヤ４が配置されている。レイヤ４は、逆Ｕ字型の検査対象領域４１を含んでいる。レイヤ４のうち、ハッチングで示された検査対象領域４１は、不透明である。それ以外のハッチングのない領域は、透明である。
【００６９】
画像２の上層にレイヤ４を表示させることで、読み取った画像２に検査対象領域４１の図形を合成した画像２Ｃ（図１１参照）を表示することができる。また、このレイヤ４を非表示とすることにより、読み取った画像２（図１０参照）自体を表示することができる。このように画像２Ｃと画像２とを機械的に所定周期で切り替えて表示することにより、ユーザは読み取り画像のうち検査対象領域を視認可能となり、更に検査非対象領域も視認可能となる。
【００７０】
《第３の実施形態》
実際の検査領域をユーザが確認するためには、記録媒体をスキャンした画像に検査対象領域の境界線を表示してもよい。
【００７１】
図１３は、記録媒体をスキャンした画像に重畳して、検査対象領域と検査非対象領域の境界線を表示する処理を示すフローチャートである。
最初、制御部１０は、印刷部１３０により検査対象ジョブを用紙９に出力し（Ｓ４０）、画像読取部１４０により用紙９上に出力された画像を読み取る（Ｓ４１）。
次に制御部１０は、この検査対象ジョブに検査非対象領域が設定されているか否かを判定する（Ｓ４２）。
【００７２】
制御部１０は、この検査対象ジョブに検査非対象領域が設定されていないならば（Ｎｏ）、異常検出部１０６により、画像全面に対して画像解析と検品を実施し（Ｓ４５）、ステップＳ４６の処理に進む。
【００７３】
制御部１０は、この検査対象ジョブに検査非対象領域が設定されているならば（Ｙｅｓ）、異常検出部１０６により検査対象領域に対して画像解析と検品を実施し（Ｓ４３）、画像処理部１０４により読み取った画像の別レイヤに検査対象領域と検査非対象領域の境界線を登録し（Ｓ４４）、ステップＳ４６の処理に進む。
【００７４】
ステップＳ４６において、制御部１０は、画像を記憶部１８に保存する。そして制御部１０は、表示処理部１０５により、保存した画像に検査対象領域と検査非対象領域の境界線がレイヤとして登録されているか否かを判定する（Ｓ４７）。制御部１０は、保存した画像に検査対象領域の境界線がレイヤとして登録されているならば（Ｙｅｓ）、記憶部１８に保存された画像に、検査対象領域の境界線を表示し（Ｓ４８）、図１３の処理を終了する。これにより、印刷した用紙９を読み取った画像と、その検査対象領域とを視認可能に表示することができる。
制御部１０は、保存した画像に検査対象領域の図形が登録されていないならば（Ｎｏ）、保存した画像を表示して（Ｓ４９）、図１３の処理を終了する。
【００７５】
図１４は、記録媒体をスキャンした画像の別レイヤとして検査対象領域と検査非対象領域との境界線を登録したファイルを示す図である。
印刷された記録媒体をスキャンした画像２の上層には、境界線レイヤ５が配置されている。境界線レイヤ５は、境界線５１〜５３を含んでいる。境界線５１は、左端の断裁領域と検査対象領域との境界を示すものである。境界線５２は、右端の断裁領域と検査対象領域との境界を示すものである。境界線５３は、中央下部のバリアブル領域と検査対象領域との境界を示すものである。
【００７６】
画像２の上層に境界線レイヤ５を表示させることで、読み取った画像２に各境界線５１〜５３を合成した画像２Ｂ（図１５参照）を表示することができる。また、この境界線レイヤ５を非表示とすることにより、読み取った画像２自体を表示することができる。このように画像２Ｂを表示することにより、ユーザは読み取り画像のうち検査対象領域と検査非対象領域の境界を視認可能となる。
【００７７】
図１５は、記録媒体をスキャンした画像２に、検査対象領域と検査非対象領域の境界線５１〜５３を合成した画像を示す図である。
画像２Ｂは、テキスト領域２１と、写真領域２２と、宛て名などが記載されたバリアブル領域２３とを含んでいる。バリアブル領域２３の周囲には、境界線５３が表示されている。画像２Ｂの左端には、断裁領域の境界を示す境界線５１が表示されている。画像２Ｂの右端には、断裁領域の境界を示す境界線５２が表示されている。
【００７８】
《第４の実施形態》
上記のような報知方法は、実際の用途によってどの方法が望ましいかが決まる。そのため、検査非対象となった要因や条件により、ユーザへの報知方法を切り替える構成も考えられる。
【００７９】
ここで検査非対象となった要因には、この領域がバリアブル領域、断裁領域、ユーザ不可視領域等のうち何れであるかの属性がある。他の要因には、ユーザが指定した領域であるか、または装置が自動で設定した領域であるかの属性がある。検査非対象となった条件とは、全ページ共通の検査対象領域であるか、または対象ページ固有の検査対象外領域であるかである。
【００８０】
具体的にいうと、断裁領域はチェックする必要は無いが、バリアブル領域は目視でチェックしたいというユーザに対し、断裁領域は塗りつぶしで表示、バリアブル領域は境界線を表示する事により検査対象外領域を報知するという構成が望ましい。
【００８１】
図１６は、記録媒体をスキャンした画像に重畳してバリアブル領域の境界線を表示し、更に断裁領域を塗りつぶし表示する処理を示すフローチャートである。
最初、制御部１０は、印刷部１３０により検査対象ジョブを用紙９に出力し（Ｓ５０）、画像読取部１４０により用紙９上に出力された画像を読み取る（Ｓ５１）。
次に制御部１０は、この検査対象ジョブに検査非対象領域が設定されているか否かを判定する（Ｓ５２）。
【００８２】
制御部１０は、この検査対象ジョブに検査対象領域が設定されていないならば（Ｎｏ）、異常検出部１０６により、画像全面に対して画像解析と検品を実施し（Ｓ５６）、ステップＳ５７の処理に進む。
【００８３】
制御部１０は、この検査対象ジョブに検査非対象領域が設定されているならば（Ｙｅｓ）、異常検出部１０６により検査対象領域に対して画像解析と検品を実施し（Ｓ５３）、画像処理部１０４により読み取った画像上にバリアプル領域の境界線を追加し（Ｓ５４）、断裁領域の塗りつぶしを追加して（Ｓ５５）、ステップＳ５７の処理に進む。
【００８４】
ステップＳ５７において、制御部１０は、画像を記憶部１８に保存する。そして制御部１０は、表示処理部１０５により保存した画像を表示して（Ｓ５８）、ステップＳ５８の処理に進む。これにより、印刷した用紙９を読み取った画像と、その検査対象領域とを視認可能に表示することができる。ここで制御部１０は、図１７に示す検査対象領域画面７を表示する。
【００８５】
ステップＳ５９において、制御部１０は、図１７に示す領域再設定ボタン７１が押下されたか否かを判定する。制御部１０は、領域再設定ボタン７１が押下されたならば（Ｙｅｓ）、図３に示した修正部１０８により検査非対象領域を再設定して（Ｓ６０）、図１６の処理を終了する。制御部１０は、領域再設定ボタン７１が押下されていないならば（Ｎｏ）、図１６の処理を終了する。
【００８６】
図１７は、検査対象領域画面７を示す図である。
この検査対象領域画面７は、タイトルバー７０に「検査対象領域」が表示され、その左下には画像ペイン７３が表示され、その右下には領域再設定ボタン７１が表示されている。画像ペイン７３には、画像２Ｄが表示されている。この画像２Ｄには、バリアブル領域２３の境界線５３と、断裁領域３１，３２の塗りつぶしが表示されている。
この検査対象領域画面７において、領域再設定ボタン７１が押下されると、図１８に示す検査対象領域の再設定画面７Ｂに遷移する。
【００８７】
図１８は、検査非対象領域の再設定画面７Ｂを示す図である。
この再設定画面７Ｂは、タイトルバー７０に「領域再設定」が表示され、その左下には画像ペイン７３が表示され、その右下には領域情報入力ペイン７４が表示されている。この再設定画面７Ｂは、図３に示した修正部１０８により表示される。領域情報入力ペイン７４には、断裁領域を編集するためのＸ軸座標テキストボックス７４１およびＹ軸座標テキストボックス７４２、Ｘ軸座標テキストボックス７４３およびＹ軸座標テキストボックス７４４、断裁領域を追加するための追加ボタン７４５が表示されている。領域情報入力ペイン７４には更に、バリアブル領域を編集するためのＸ軸座標テキストボックス７４６およびＹ軸座標テキストボックス７４７、バリアブル領域を追加するための追加ボタン７４８が表示されている。
【００８８】
ユーザが領域情報入力ペイン７４の各テキストボックスの数値を編集することにより、検査非対象領域が再設定される。これにより、以降の検査非対象領域は、設定した数値によるものに変更される。
なお検査対象領域や検査非対象領域の設定は、数値入力に限定されず、グラフィカルユーザインタフェース（ＧＵＩ）画面上の操作によって設定されてもよい。
【００８９】
《第５の実施形態》
検査対象領域のみを画像ファイルとして切り出し保存してもよい。これにより、検査結果の合計ファイルサイズを削減することができる。
【００９０】
図１９は、印刷された記録媒体をスキャンした画像から検査非対象領域をトリミングする処理を示すフローチャートである。
最初、制御部１０は、印刷部１３０により検査対象ジョブを用紙９に出力し（Ｓ７０）、画像読取部１４０により用紙９上に出力された画像を読み取る（Ｓ７１）。
次に制御部１０は、この検査対象ジョブに検査非対象領域が設定されているか否かを判定する（Ｓ７２）。
【００９１】
制御部１０は、この検査対象ジョブに検査非対象領域が設定されていないならば（Ｎｏ）、異常検出部１０６により、画像全面に対して画像解析と検品を実施し（Ｓ７５）、ステップＳ７６の処理に進む。
【００９２】
制御部１０は、この検査対象ジョブに検査非対象領域が設定されているならば（Ｙｅｓ）、異常検出部１０６により検査対象領域に対して画像解析と検品を実施する。（Ｓ７３）。次に制御部１０は、画像処理部１０４により読み取った画像から検査非対象領域をトリミングし（Ｓ７４）、ステップＳ７６の処理に進む。ここで制御部１０は、画像処理部１０４により読み取った画像から検査非対象領域をトリミングするトリミング部１０９（図３参照）として機能する。
【００９３】
ステップＳ７６において、制御部１０は、検査対象領域の画像を記憶部１８に保存し、図９の処理を終了する。ここで保存される画像を、後記する図２０に示す。
【００９４】
図２０は、印刷された記録媒体をスキャンした画像２Ｅを示す図である。
画像２Ｅは、テキスト領域２１と、写真領域２２とを含んでいる。一点鎖線で示した左端と右端は、それぞれ断裁領域の境界線５１，５２である。画像２Ｅのうち検査対象領域は、断裁領域を除いた領域である。
【００９５】
図２１は、印刷された記録媒体をスキャンした画像２から検査非対象領域をトリミングしたトリミング画像８を示す図である。
トリミング画像８は、画像２Ｅのうち検査非対象領域である断裁領域を除いた領域を保存したものである。このように検査対象でない領域を除いているので、保存する画像のファイルサイズを削減することができる。
【００９６】
《第６の実施形態》
検査非対象領域の情報を座標や紙端部からの距離等の情報として付加した場合、数値としてユーザに報知する構成も考えられる。本実施形態において、実際の検査領域をユーザが確認するためには、検査非対象領域の座標情報を表示する。
【００９７】
図２２は、記録媒体をスキャンした画像と共に、検査非対象領域の座標情報を表示する処理を示すフローチャートである。
最初、制御部１０は、印刷部１３０により検査対象ジョブを用紙９に出力し（Ｓ８０）、画像読取部１４０により用紙９上に出力された画像を読み取る（Ｓ８１）。
次に制御部１０は、この検査対象ジョブに検査非対象領域が設定されているか否かを判定する（Ｓ８２）。
【００９８】
制御部１０は、この検査対象ジョブに検査非対象領域が設定されていないならば（Ｎｏ）、異常検出部１０６により、画像全面に対して画像解析と検品を実施し（Ｓ８７）、読み取った画像を記憶部１８に保存すると（Ｓ８８）、ステップＳ８９の処理に進む。
【００９９】
制御部１０は、この検査対象ジョブに検査非対象領域が設定されているならば（Ｙｅｓ）、異常検出部１０６により検査対象領域に対して画像解析と検品を実施し（Ｓ８３）、画像処理部１０４により検査非対象領域のテキスト情報を生成する（Ｓ８４）。次に制御部１０は、読み取った画像を記憶部１８に保存し（Ｓ８５）、保存した画像に紐付けて、検査非対象領域のテキスト情報を保存すると（Ｓ８６）、ステップＳ８９の処理に進む。ここで画像に紐付けてテキスト情報を保存する方法は、例えば画像ファイルとテキスト情報ファイルのファイル名本体を同一にして、ファイルの拡張子を異なる名称とすることが考えられる。
【０１００】
ステップＳ８９において、制御部１０は、表示処理部１０５により、保存した画像を表示する。そして制御部１０は、保存した画像に検査非対象領域のテキスト情報が有るか（紐づけられているか）否かを判定する（Ｓ９０）。制御部１０は、保存した画像に検査非対象領域のテキスト情報が有るならば（Ｙｅｓ）、記憶部１８に保存された画像に、検査非対象領域のテキスト情報を表示し（Ｓ９１）、図２２の処理を終了する。これにより、印刷した用紙９を読み取った画像と、その検査対象領域の情報とを視認可能に表示することができる。
制御部１０は、保存した画像に検査非対象領域のテキスト情報が無いならば（Ｎｏ）、図２２の処理を終了する。
【０１０１】
図２３は、検査非対象領域の座標情報の表示画面を示す図である。
この領域情報表示画面７Ｃは、タイトルバー７０に「領域情報表示」が表示され、その左下には画像ペイン７３が表示され、その右下には領域情報ペイン７５が表示されている。領域情報ペイン７５には、断裁領域座標情報７５１，７５２とバリアブル領域座標情報７５３が表示されている。
【０１０２】
断裁領域座標情報７５１には、“X 0〜2000”と“Y 0〜14000”が表示されている。断裁領域座標情報７５２には、“X 23000〜25000”と“Y 0〜14000”が表示されている。バリアブル領域座標情報７５３には、“X 6000〜19000”と“Y 8000〜14000”が表示されている。このように座標値（数値）によって、検査非対象領域の情報を表示してもよい。
【０１０３】
（変形例）
本発明は、上記実施形態に限定されることなく、本発明の趣旨を逸脱しない範囲で、変更実施が可能であり、例えば、次の（ａ）〜（ｆ）のようなものがある。
【０１０４】
（ａ）  検査非対象の断裁領域は、例えば用紙先端から１０ｍｍと用紙後端から７ｍｍのように表示してもよく、限定されない。
（ｂ）  検査対象領域や検査非対象領域の情報は、画像の別レイヤに登録したり、テキストファイルに保存して画像ファイルに紐付けるだけではなく、画像ファイルのタグ情報に登録してもよい。更に読み取った画像上に、検査対象または検査非対象となった領域に関する情報を文字で合成して保存してもよい。
（ｃ）  画像ファイルと検査非対象領域を紐付ける方法は、ファイル名本体を同一にすることに限定されない。
（ｄ）  画像のうち検査対象領域に限定して保存する際には、断裁領域だけをトリミングし、バリアブル領域を残してもよい。これにより、断裁されて製品には残らない部分を除去するとともに、製品の一部として残るバリアブル領域を検査結果として保存することができる。
（ｅ）  画像読取部で読み取ったオリジナルの画像と、検査対象となった領域または検査非対象となった領域を示す図形をオリジナルの画像に合成した画像との切り替え表示方法は、機械的に所定周期で切り替えることに限定されない。例えば切り替えボタンの押下をトリガーに表示を切り替えてもよい。
（ｆ）  画像処理部は、画像読取部で読み取った画像と同一のレイヤに、検査対象となった領域または検査非対象となった領域を示す図形を合成するとともに、合成した画像と画像読取部で読み取ったオリジナルの画像とを紐付けて管理してもよい。
【符号の説明】
【０１０５】
１  画像形成システム
１０  制御部
１０１  ＣＰＵ
１０２  ＲＯＭ
１０３  ＲＡＭ
１０４  画像処理部  （画像処理手段）
１０５  表示処理部  （報知手段）
１０６  異常検出部  （異常検出手段）
１０７  動作制御部
１０８  修正部  （修正手段）
１０９  トリミング部  （トリミング手段）
１１  表示操作部
１２  給紙ユニット
１２１〜１２３  大容量給紙段
１３  画像形成装置
１３０  印刷部
１３１，１３２  本体給紙段
１３３  搬送ローラ
１３４  転写ローラ
１３５  定着ローラ
１３６，１３７  反転経路
１４  画像検査装置
１４０  画像読取部
１４１，１４２  光学センサ  （画像読取手段）
１４３  ローラ
１５  断裁装置
１５０  断裁部
１５１〜１５３  断裁カッター
１５４  屑入れ
１６  パージ装置
１６０  パージ部
１６１  メイン排紙トレイ
１６２  サブ排紙トレイ
１６３  搬送路切替部
１８  記憶部
１９  通信部
２，２Ａ〜２Ｅ  画像
２１  テキスト領域
２２  写真領域
２３  バリアブル領域
３  レイヤ
３１，３２  断裁領域
３３  バリアブル領域
４  レイヤ
４１  検査対象領域
５  境界線レイヤ
５１〜５３  境界線
７  検査対象領域画面
７Ｂ  再設定画面
７Ｃ  領域情報表示画面
７０  タイトルバー
７１  領域再設定ボタン
７２  保存ボタン
７３  画像ペイン
７４  領域情報入力ペイン
７４１，７４３，７４６  Ｘ軸座標テキストボックス
７４２，７４４，７４７  Ｙ軸座標テキストボックス
７４５，７４８  追加ボタン
７５  領域情報ペイン
７５１，７５２  断裁領域座標情報
７５３  バリアブル領域座標情報
８  トリミング画像
９  用紙
【図１】
2020178228.tif 000003
【図２】
2020178228.tif 000004
【図３】
2020178228.tif 000005
【図４】
2020178228.tif 000006
【図５】
2020178228.tif 000007
【図６】
2020178228.tif 000008
【図７】
2020178228.tif 000009
【図８】
2020178228.tif 000010
【図９】
2020178228.tif 000011
【図１０】
2020178228.tif 000012
【図１１】
2020178228.tif 000013
【図１２】
2020178228.tif 000014
【図１３】
2020178228.tif 000015
【図１４】
2020178228.tif 000016
【図１５】
2020178228.tif 000017
【図１６】
2020178228.tif 000018
【図１７】
2020178228.tif 000019
【図１８】
2020178228.tif 000020
【図１９】
2020178228.tif 000021
【図２０】
2020178228.tif 000022
【図２１】
2020178228.tif 000023
【図２２】
2020178228.tif 000024
【図２３】
2020178228.tif 000025